(57)【特許請求の範囲】
【請求項１】
遊技制御の制御内容に応じて夫々独立のプリント基板に構成された複数の制御用基板と、これらの制御用基板に電力を供給する電源基板(45A) と、前記複数の制御用基板および電源基板に電子部品を備え、前記複数の制御用基板および電源基板の表面および裏面に導電性材料により形成された導体パターンとを備えた遊技機において、
前記電源基板(45A) の表面および裏面の導体パターン(57A) の厚みを、その電源基板(57A) 以外の制御用基板の表面および裏面の導体パターンの厚みよりも厚く形成したことを特徴とする遊技機。
【請求項２】
電子部品を表面又は裏面に実装したプリント基板からなる電源基板(45)を備え、その電源基板(45)の表面と裏面に、信号線パターン(57a,58a) と接地用のグランドパターン(57b,58b) とを有する導体パターン(57,58) を導電性材料で夫々形成した遊技機において、
前記電源基板(45)の表面の導体パターン(57)と裏面の導体パターン(58)のうちのグランドパターン(57b,58b) の面積が小さい方の一方の導体パターン厚みを他方の導体パターンの厚みよりも厚く形成したことを特徴とする遊技機。
【請求項３】
前記導体パターン (57,57A,58)は、銅箔からなることを特徴とする請求項１又は２に記載の遊技機。
【発明の詳細な説明】
【０００１】
【発明の属する技術分野】
本発明は給電可能な電源基板等の複数のプリント基板を備えた遊技機に関し、特にプリント基板に形成された導体パターンのうちの接地用のグランドパターンの厚みを厚くして接地効果を高めるようにしたものに関する。
【０００２】
【従来の技術】
従来、パチンコ機等の弾球遊技機においては、発射ハンドル操作による遊技球の発射制御、入賞手段への入賞を検知する検知制御、遊技盤に設けた図柄始動手段や開閉式入賞手段（大入賞手段）等の遊技役物の制御、図柄始動手段に入賞したときに抽選する為の抽選用数値の更新制御、入賞手段への入賞に伴う遊技球の払出し制御、図柄表示用ディスプレイに設けられた図柄表示手段の複数の図柄表示部における図柄を変動させる図柄表示制御、入賞時や大当たり状態におけるサウンド制御やランプ制御等、弾球遊技の為の種々の制御を司る制御装置が設けられている。
【０００３】
この制御装置において、遊技盤側の遊技制御を主として司る主制御部は、各図柄表示部に図柄変動表示させる図柄表示制御の為の一連の制御信号（制御データ）を図柄制御部に直接出力し図柄表示を制御している。また、主制御部は、普通入賞手段や開閉式入賞手段への遊技球の入賞に際して、払出しモータ駆動の為の払出し制御信号を払出し制御部に出力して賞球の払出しを制御している。更に、主制御部は、図柄表示部における変動後の停止図柄が大当たり図柄のとき、開閉式入賞手段の開閉板駆動ソレノイドの為の開閉制御信号を特別遊技制御部に出力し、開閉板を所定条件が成立するまで開放制御している。
【０００４】
例えば、主制御部は図柄制御部に対して、各動作毎の詳細な制御信号を逐一送信して図柄を変動制御するため、仮に１つの制御信号がノイズや静電気等により無効になっても、後続する制御信号に基づいて変動制御を続行できるようになっている。主制御部は、図柄表示制御だけでなく、これに連動する払出し制御、サウンド出力制御、ランプ点灯制御等の種々の制御についても同様に、詳細な制御信号を逐一送信する為、仮に幾つかの制御信号がノイズや静電気等により無効になっても、制御動作を続行できるようになっているため、主制御部の制御負荷が非常に大きく、これら遊技動作の制御に制御遅れが生じ易い。
【０００５】
そこで、払出し制御部や図柄制御部等の各副制御部を、主制御部とは独立のマイクロコンピュータを備えた別個の制御基板上に構成し、主制御部から各副制御部へ制御コマンドを一方向通信するコマンド送信方式が採用されつつある。これにより、例えば、主制御部は図柄変動に際して図柄制御部に、図柄変動開始コマンド（変動パターン指定番号等を含む）と、各図柄表示部の停止図柄を指定する図柄指定コマンドとを順次送信するだけでよく、図柄変動制御を簡単化でき、主制御部の負荷を格段に軽減することができ、サウンド制御やランプ制御、更には払出し制御を図柄変動に同期させて実行できる。
【０００６】
このように、主制御部や副制御部を夫々独立させた制御基板上に構成し、主制御部から図柄制御部に送信する制御コマンド数を格段に減少させる場合、主制御部の制御負荷を軽減できる。ところで、遊技球の入賞を検知する入賞検知センサから出力された検知信号や制御に必要な種々の制御信号を、入力ラインを介して主制御部に設けたマイクロコンピュータの信号入力用の端子に入力する場合や、主制御部から送信された制御コマンドを、接続ラインを介して図柄制御部や払出し制御部等の副制御部に設けたマイクロコンピュータの信号入力用の端子に入力する場合に、これらの入力信号や制御コマンドにノイズが混入した場合、そのマイクロコンピュータにおいては誤動作する場合がある。
【０００７】
この種のノイズは、一般的に、静電誘導により発生した静電誘導によるノイズであったり、電磁誘導により発生した電磁誘導によるノイズであったり、更に外部の種々の電子装置等から発生した外部ノイズ等が殆どである。静電誘導によるノイズは、例えば、プリント基板上に２本の信号線が平行に配線されている場合、これら信号線間の電位差による浮遊容量によってノイズが発生する。また、電磁誘導によるノイズは、信号線をループ状又はコイル状に配線する場合に、流れる電流によって磁束が生じ、これに近接する信号線にノイズとして発生したり、アース線に電流が流れ、筐体（シャーシ）に電流が垂れ流しになってノイズとして発生する。
【０００８】
更に、賞球タンクに貯留された多数の遊技球がタンクレールや払出し装置や払出し通路を経て上皿に払出される払出し経路において、遊技球同士が衝突したり、遊技球がタンクレールや払出し装置の通路壁に衝突したときに、遊技球に静電気が発生して帯電し、この静電気によるノイズが発生する場合がある。特に、電源基板から主制御部や副制御部に＋５Ｖ等の動作電圧を給電する給電系にノイズが混入した場合には、このノイズを含む動作電圧を受けた主制御部や副制御部において動作不良等の異常事態が発生する。
【０００９】
そこで、制御用のプリント基板だけでなく、電源基板においても、静電誘導や電磁誘導等により発生するノイズに対して、プリント基板に形成された導体パターンのうちの接地用のグランドパターンの面積を大きくしたり、このノイズを導線を介して大気中に放電させたり、パチンコ機の内枠のヒンジ板にアース線を介して接地する等して、ノイズを極力低減するようにしている。更に、これら制御用基板や電源基板のグランドは、特に外部に接地するようにはなっていない。
【００１０】
そこで、接地効果を高めるために、プリント基板の部品を実装した表面と裏面の両面に導体パターンを形成した場合には、これら両面の導体パターンのうちのグランドパターンを極力大きな面積を専有できるように設計されている。最近では、プリント基板の裏側全体にグランド層（グランド被膜）を形成したり、プリント基板を積層状に形成し、その中央部にグランド層を介在させる等してノイズ対策を講じるようにしたプリント基板も実用化されている。
【００１１】
【発明が解決しようとする課題】
前述したように、静電誘導や電磁誘導等によるノイズの低減化を図るために、プリント基板の表裏両面に形成された導体パターンのうちのグランドパターンの面積を夫々極力大きくするようにしているが、プリント基板に設ける電子部品の数や信号線の数に関連して、グランドパターンの面積、つまりグランドパターンの容積（キャパシティ）の大きさが制限される為、そのグランドパターンのインピーダンスが小さくならず、グランドパターンに一旦吸収されたノイズの一部が、接近した信号線パターンに放射される場合も発生し易く、充分な接地効果が得られていないのが現状である。
【００１２】
また、プリント基板の裏側全体にグランド層を形成したり、積層状に形成したプリント基板の中央部にグランド層を介在させる場合には、プリント基板の製造工程が複雑化し、製造コストが高価になるという問題がある。
本発明の目的は、プリント基板に形成した導体パターンのうちのグランドパターンに吸収した静電誘導や電磁誘導等のノイズの信号線パターンへの放射又は流入を効果的に抑制できるようにすること、ノイズ対策を簡単に強化できるようにすること、等である。
【００１３】
【課題を解決するための手段】
請求項１の遊技機は、遊技制御の制御内容に応じて夫々独立のプリント基板に構成された複数の制御用基板と、これらの制御用基板に電力を供給する電源基板と、複数の制御用基板および電源基板に電子部品を備え、複数の制御用基板および電源基板の表面および裏面に導電性材料により形成された導体パターンとを備えた遊技機において、電源基板の表面および裏面の導体パターンの厚みを、その電源基板以外の制御用基板の表面および裏面の導体パターンの厚みよりも厚く形成したものである。
【００１４】
電源基板はＤＣ５Ｖ等の制御に必要な種々の源力電力を生成し、これら電力を独立のプリント基板に構成された複数の制御用基板に供給するので、これらの制御用基板に設けた電子部品により遊技制御が実行される。ところで、電源基板の表面および裏面のプリント基板の導体パターンの厚みが、その電源基板以外の制御用基板プリント基板の導体パターンの厚みよりも厚いので、その導体パターンに含まれるグランドパターンの厚みも厚くなり、その厚みに応じてグランドパターンの容量（キャパシティ）を充分に大きくできる。
【００１５】
それ故、グランドパターンのインピーダンスを小さくできる為、グランドパターンで吸収した静電誘導や電磁誘導等によるノイズの、導体パターンに含まれる信号線パターンへの放射又は流入を効果的に抑制することができ、ノイズ対策を強化することができる。
【００１６】
請求項２の遊技機は、電子部品を表面又は裏面に実装したプリント基板からなる電源基板を備え、その電源基板の表面と裏面に、信号線パターンと接地用のグランドパターンとを有する導体パターンを導電性材料で夫々形成した遊技機において、電源基板の表面の導体パターンと裏面の導体パターンのうちのグランドパターンの面積が小さい方の一方の導体パターンの厚みを他方の導体パターンの厚みよりも厚く形成したものである。
【００１７】
プリント基板からなる電源基板の表面又は裏面に電子部品が実装されている。その電源基板の表面と裏面には信号線パターンと接地用のグランドパターンとを夫々導電性材料で形成した導体パターンが設けられている。このとき、プリント基板の表面と裏面とに夫々形成された導体パターンにおいて、表面の導体パターンと裏面の導体パターンのうちのグランドパターンの面積が小さい方の一方の導体パターンの厚みが、他方の導体パターンの厚みよりも厚く形成されているため、その厚みに応じてグランドパターンの容量（キャパシティ）を充分に大きくでき、請求項１と同様に作用する。
さらに、電源基板における静電誘導や電磁誘導等によるノイズをグランドパターンで効果的に且つ確実に吸収保持でき、ノイズを含まない電力を複数の制御手段に供給することができ、これら制御手段による遊技制御を保証することができる。
【００１９】
請求項３の遊技機は、請求項１又は２の発明において、導体パターンは、銅箔からなることを特徴とするものである。この場合には、銅箔等の低抵抗金属により導体パターンを構成することができる。
【００２０】
【発明の実施の形態】
以下、本発明の実施の形態について図面に基いて説明する。
本実施形態は、パチンコホールの島構造体に設置される所謂カード式弾球遊技機と呼ばれる第１種パチンコ機に本発明を適用した場合の一例であり、パチンコホールに設けられた島構造体には、その長さ方向に複数のカード式球貸し機１と複数のパチンコ機２とが交互に配設され、カード式球貸し機１はパチンコ機２に電気的に接続されている。
【００２１】
図１〜図４に示すように、カード式弾球遊技機であるパチンコ機２は、矩形枠状の外枠３と、この外枠３に開閉自在に枢着された前枠４とを有し、カード式球貸し機１をサンドイッチ状に挟持する状態で、外枠３が島構造体（図示略）に着脱自在に装着されている。前枠４には、遊技盤５が裏側から着脱自在に装着され、遊技盤５の前側に対応させて、窓部６ａを有するガラス扉６と前面板７とが夫々開閉自在に枢着されている。前面板（図示略）には発射用の遊技球を貯留する上皿カバー８が装着され、前枠４の下部には、上皿カバー８から溢流し又は抜き取った遊技球を貯留する下皿９と、発射手段１０の発射ハンドル１１とが設けられている。
【００２２】
この発射手段１０は、回動操作可能な発射ハンドル１１と、この発射ハンドル１１の回動角度に応じた打撃力で打撃槌１２により遊技球を発射させる発射モータ１３（図５参照）などを備えている。上皿カバー８の右部には、カード式球貸し機１に対する球貸し操作用の操作パネル１４が設けられ、この操作パネル１４には、カード残額を３桁の数字で表示するカード残額表示部１４ａと、所定金額分の遊技球の球貸しを指示する球貸しスイッチ１４ｂと、遊技終了時にカードの返却を指令する返却スイッチ１４ｃとが設けられている。
【００２３】
図２に示すように、遊技盤５には、金属製の外レールと内レールとからなるガイドレール１５がほぼ環状に設けられ、このガイドレール１５の内側の遊技領域５ａには、カラーの液晶ディスプレイ１６、図柄始動手段（図柄始動兼入賞手段）１７、開閉式入賞手段（大入賞手段）１８、複数の普通入賞手段１９（この場合、上段の普通入賞手段１９以外に、開閉式入賞手段１８の左右両側部に、例えば６つの普通入賞手段１９）、２つのゲート２０（通過口）等が夫々所定の位置に配設されている。
【００２４】
液晶ディスプレイ１６は、変動図柄を表示するとともに背景画像や各種のキャラクタの動画などを表示する図柄表示手段２２として機能する。図柄表示手段２２は、背景画やキャラクタをアニメーション的に表示するとともに、例えば左右方向に並ぶ３個（左、中、右）の図柄表示部２２ａ〜２２ｃを有し、図柄始動手段１７に遊技球が入賞することを条件に、各図柄表示部２２ａ〜２２ｃの表示図柄が所定時間だけ変動表示（スクロール表示）され、図柄始動手段１７への遊技球の入賞タイミングに応じた抽選結果に基づいて決定される停止図柄パターンで停止する。
【００２５】
液晶ディスプレイ１６の直ぐ上側に、普通入賞手段１９と第２図柄表示手段２３とが設けられている。第２図柄表示手段２３は１個の普通図柄を表示する普通図柄表示部を有し、ゲート２０を通過した遊技球が検出されたとき、普通図柄表示部の表示図柄が所定時間だけ変動し、遊技球のゲート２０通過時点において抽選された抽選用数値により決定される停止図柄を表示して停止するようになっている。図柄始動手段１７は、開閉自在な左右１対の開閉爪１７ａを備えた電動式チューリップであり、第２図柄表示手段２３の変動後の停止図柄が当たり図柄を表示した場合に、開閉爪１７ａが所定時間だけ開放されて入賞し易くなる。
【００２６】
開閉式入賞手段１８は前方に開放可能な開閉板１８ａを備え、図柄表示手段２２の変動後の停止図柄が「７７７」等の当たり図柄のとき、所謂「大当たり」と称する特別遊技が開始され、開閉板１８ａが前方に開放される。この開閉式入賞手段１８の内部に特定領域１８ｂがあり、この特定領域１８ｂを入賞球が通過したとき、特別遊技が継続される。
【００２７】
開閉式入賞手段１８の開閉板１８ａが開放された後、所定時間が経過し、又は所定数（例えば、１０個）の遊技球が入賞して開閉板１８ａが閉じるときに、遊技球が特定領域１８ｂを通過していないときに特別遊技が終了するが、特定領域１８ｂを通過していれば最大所定回数（例えば、１６回）まで特別遊技が継続され、遊技者に有利な状態に制御される。
【００２８】
図３、図４に示すように、前枠４の裏側には、遊技盤５を裏側から押さえる裏機構板３０が着脱自在に装着され、この裏機構板３０には開口部３０ａが形成され、その上側に賞球タンク３３と、これから延びるタンクレール３４とが設けられ、このタンクレール３４に接続された払出し装置３５が裏機構板３０の側部に設けられ、裏機構板３０の下側には払出し装置３５に接続された払出し球誘導路３６が設けられている。払出し装置３５から払出された遊技球は払出し球誘導路３６を経由して上皿排出口８ａから上皿カバー８に払出される。
【００２９】
裏機構板３０の開口部３０ａには、遊技盤５の裏側に装着された裏カバー３７と、入賞手段１７〜１９に入賞した遊技球を排出する入賞球排出樋（図示略）とが夫々嵌合されている。この裏カバー３７に装着されたケース３８の内部に主制御基板３９が配設され、その前側に図柄制御基板４０が配設されている。主制御基板３９の下側で、裏カバー３７に装着されたケース４１ａの内部にランプ制御基板４２が設けられ、このケース４１ａに隣接するケース４１ｂの内部にサウンド制御基板４３が設けられている。
【００３０】
これらケース４１ａ，４１ｂの下側で裏機構板３０に装着されたケース４４の内部には、電源基板４５と払出し制御基板４６が夫々設けられている。更に、発射手段１０の後側に装着されたケース４７の内部には、発射制御基板４８が設けられている。これら制御基板３９〜４０，４２〜４３，４５〜４６，４８は夫々独立のプリント基板で構成されており、電源基板４５と発射制御基板４８とを除く制御基板３９，４０，４２，４３，４６には、ＣＰＵとＲＯＭやＲＡＭ等を有する１チップ集積回路からなるマイクロコンピュータ（図示略）が夫々設けられている。
【００３１】
主制御基板３９とその他の制御基板４０，４２，４３，４６とは、複数本の信号線でコネクタを介して電気的に接続され、主制御基板３９から各制御基板４０，４２，４３，４６に、所定の遊技動作を実行させる種々の制御コマンドを一方向通信にて送信可能になっている。制御コマンドの一方向通信を採用することで、図柄停止に関する不正を確実に防止できるとともに、主制御手段５０の制御負荷を格段に軽減でき、送信制御を簡単化することができる。
【００３２】
次に、パチンコ機２の制御装置に予め格納した複数の制御プログラムを介して達成される種々の機能について、図５の機能ブロック図により説明する。但し、これら種々の機能は前述したマイクロコンピュータ等で達成される。主制御基板３９上に構成された主制御手段５０は、遊技盤５に設けられた種々の遊技部品や遊技球検出スイッチ等に対する信号の入出力に関わる、所謂遊技盤５の遊技制御を主として司るとともに、後述する図柄制御手段６０、払出し制御手段７０、ランプ制御手段７１、サウンド制御手段７２等に必要に応じて制御コマンドを送信する。
【００３３】
図柄制御基板４０上に構成された図柄制御手段６０は、主制御手段５０から送信されてくる図柄制御コマンドに基づいて、液晶ディスプレイ１６に種々の動画や背景画を表示させる表示制御を実行したり、各図柄表示部２２ａ〜２２ｃの図柄を変動制御し、指示された停止図柄で変動を停止制御する。払出し制御基板４６上には払出し制御手段７０が構成され、この払出し制御手段７０は主制御手段５０から払出し制御コマンドを受信し、払出し装置３５による遊技球の払出し制御を司る。
【００３４】
ランプ制御基板４２上に構成されたランプ制御手段７１は、主制御手段５０からランプ制御コマンドを受信し、遊技盤５等に設けられた多数の表示ランプを含むランプ群７４の点灯制御を司る。サウンド制御基板４３上に構成されたサウンド制御手段７２は、主制御手段５０からサウンド制御コマンドを受信し、スピーカＳＰに対する各種の音響効果音の為のサウンド出力制御を司る。発射制御基板４８上に構成された発射制御手段７３は、発射モータ１３を駆動して遊技球の発射制御を司る。
【００３５】
主制御手段５０は、抽選手段５１と、判定手段５２と、特別遊技発生手段５３と、確率変動手段５４と、コマンド送信手段５５等を備えている。抽選手段５１は、抽選用カウンタを用いて微小な更新周期（例えば、約２msec周期）で数値を所定の範囲（例えば、０〜２９９）で更新し、図柄始動手段１７に遊技球が入賞したときの数値を抽出することにより、遊技者に有利な状態である当たりと、遊技者に不利な状態である外れとに関する抽選を行なう。判定手段５２は、図柄始動手段１７に遊技球が入賞したときに抽選手段５１から供給される抽選された数値に基づいて、「大当り」、「外れ（外れリーチを含む）」の何れであるかを判定する。
【００３６】
例えば、その抽選された数値が予め設定された特定数値「７１」のときに「大当たり」と判定し、それ以外の多数の数値のときに「外れ」であると判定する。特別遊技発生手段５３は、判定手段５２から大当たり等の特別判定結果を受ける、若しくは、図柄表示手段２２の変動後の停止図柄が大当たり図柄等の特定表示となった場合に、遊技制御に含まれる所定の特別遊技発生ルーチンにより開閉式入賞手段１８の開閉板１８ａを前述したように作動させて、遊技者に有利な利益状態を与える特別遊技を実行する。
【００３７】
確率変動手段５４は、判定手段５２から「大当たり」の特別判定結果を受けた場合に、その「大当たり」について「確率変動」と「非確率変動」の何れかを抽選により決定し、確率変動型大当たりのときには確率変動モードを設定し、次回或いは次々回の大当たり迄、或いは所定回数図柄が変動する迄、抽選手段５１により大当たりを抽選する特定数値の数を通常のときよりも多くし、大当たり確率を高くする。
【００３８】
コマンド送信手段５５は、判定手段５２から判定結果を受け、図柄変動に際しては図柄制御コマンド（当たり外れデータを含む２バイト構成）を図柄制御手段６０に送信し、遊技球の払出しに際しては払出し制御コマンド（払出し個数データを含む２バイト構成）を払出し制御手段７０に送信する。ここで、当たり外れデータは「確率変動型大当たり」、「非確率変動型大当たり」、「外れ」の何れかのデータからなり、変動時間データは図柄変動に要する時間（例えば、４０秒、６０秒等）を規定するデータである。また、払出し個数データは、５個、１０個等の遊技球の払出し個数を指令するデータである。
【００３９】
更に、コマンド送信手段５５は、ランプ群７４の点灯に際してはランプ制御コマンド（２バイト構成）をランプ制御手段７１に送信し、スピーカＳＰによる効果音出力に際してサウンド制御コマンド（２バイト構成）をサウンド制御手段７２に送信する。図柄制御手段６０は、停止図柄決定手段６１を有し、コマンド送信手段５５から送信される図柄制御コマンドを受信し、受信した図柄制御コマンドを解析するとともに、解析により得られた制御コマンドに基づいて図柄表示手段２２の各図柄表示部２２ａ〜２２ｃにおける図柄変動を制御する。
【００４０】
この停止図柄決定手段６１について簡単に説明すると、変動パターンテーブルに、「確率変動型大当たり」、「非確率変動型大当たり」、「外れリーチ」、「外れノーマル」の各々について複数のパターンデータが記憶されており、図柄制御コマンドに含まれる「当たり外れデータ」に基づいて、夫々該当する大当たりパターン又は外れパターンのうちから何れかを抽選により決定する。
次に、前述した電源基板４５の導体パターンについて、図６〜図８に基づいて説明する。
【００４１】
電源基板４５は、外部から供給されるＡＣ２４ＶからＤＣ３２Ｖを生成するとともに、サウンド出力やランプ点灯等に用いるＤＣ１２Ｖ、制御手段５０，６０，７０〜７２等のマイクロコンピュータに供給するＤＣ５Ｖ等を生成し、これらの直流を制御基板３９，４０，４２，４３，４６等に供給する。
図８に示すように、この電源基板４５の絶縁基板４５ａは、例えばエポキシ系樹脂やポリイミド樹脂等からなり、その絶縁基板４５ａの表面には、図６に示すように、抵抗やコンデンサ等の種々の電子部品（図示略）を実装する為に、電極パッド部を含み線状の信号線パターン５７ａと、接地用のグランドパターン５７ｂとを有する導体パターン５７が形成されている。
【００４２】
そのグランドパターン５７ｂは、極力大きな面積を専有できるように設計されている。一方、絶縁基板４５ａの裏面には、図７に示すように、電極パッド部を含み線状の信号線パターン５８ａと、接地用のグランドパターン５８ｂとを有する導体パターン５８が形成されている。これら導体パターン５７，５８は、銅等の金属粉末を含有するペーストを所定のパターンに印刷して焼成により被膜状に形成されたものである。それ故、これら導体パターン５７，５８を銅箔等の低抵抗金属（これが導電性材料に相当する）により構成することができる。
【００４３】
ここで、裏面のグランドパターン５８ｂの面積は、電子部品（図示略）の数や信号線の数により、表面のグランドパターン５７ｂの面積よりも小さくなってはいるが、その小さい分を考慮して、図８に示すように、表面の導体パターン５７は一般的な約１８μｍの厚さに形成されているのに対して、裏面の導体パターン５８は、その約１８μｍよりも格段に厚い約３５μｍの厚さに形成されている。この場合、表面のグランドパターン５７ｂの面積が比較的大きいため、その銅箔の厚さが約１８μｍであっても、グランドパターン５７ｂの容量（キャパシティ）を充分に大きくできる。
【００４４】
それ故、グランドパターン５７ｂのインピーダンスを小さくできる為、グランドパターン５７ｂで吸収した静電誘導や電磁誘導等によるノイズの信号線パターン５７ａへの放射又は流入を効果的に抑制することができ、ノイズ対策を強化することができる。ところで、裏面のグランドパターン５８ｂの面積が表面のグランドパターン５７ｂの面積よりも小さいが、グランドパターン５８ｂは約３５μｍの厚さに形成されているため、グランドパターン５８ｂの容量を充分に大きくでき、グランドパターン５８ｂのインピーダンスを小さくできる為、表面の場合と同様に、ノイズ対策を強化することができる。
【００４５】
このように、電子部品を実装した表面に信号線パターン７５ａと接地用のグランドパターン５７ｂとを有する導体パターン５７を形成するとともに、裏面に信号線パターン５８ａと接地用のグランドパターン５８ｂとを有する導体パターン５８を形成し、グランドパターン５８ｂの面積が小さい導体パターン５８を厚くするので、グランドパターン５８ｂの面積が小さい場合でも、グランドパターン５８ｂの厚みが厚く形成されているため、グランドパターン５８ｂの容量を充分に大きくでき、グランドパターン５８ｂのインピーダンスを小さくできる為、グランドパターン５８ｂで吸収した静電誘導や電磁誘導等によるノイズの信号線パターン５８ａへの放射又は流入を効果的に抑制することができ、ノイズ対策を強化することができる。
【００４６】
しかも、その厚みを厚く形成した導体パターン５８を有するプリント基板は、複数の制御手段５０，６０，７０〜７２に直流を供給する電源基板４５であるので、電源基板４５における静電誘導や電磁誘導等によるノイズをグランドパターン５７ｂ，５８ｂで効果的に且つ確実に吸収保持でき、ノイズを含まない直流を制御手段５０，６０，７０〜７２に供給することができ、これら制御手段５０，６０，７０〜７２による遊技制御を保証することができる。
【００４７】
前記実施形態の変更形態について説明する。
１〕図９に示すように、電源基板４５Ａの表面の導体パターン５７Ａと裏面の導体パターン５８Ａの厚みを、電源基板４５Ａ以外の制御基板３９，４０，４２，４３，４６の導体パターンの厚み（例えば、約１８μｍ）よりも厚く（例えば、約３５μｍ）形成するようにしてもよい。
【００４８】
この場合にも、前記実施形態と同様に、その厚みに応じてグランドパターン５７ｂの容量を充分に大きくでき、グランドパターン５７ｂのインピーダンスを小さくできる為、グランドパターン５７ｂで吸収した静電誘導や電磁誘導等によるノイズの信号線パターン５７ａへの放射又は流入を効果的に抑制することができ、ノイズ対策を強化することができる。
【００４９】
２〕図１０に示すように、プリント基板からなる電源基板４５Ｂの表面の導体パターン５７Ｂのうちの、グランドパターン５７ｄの厚みを信号線パターン５７ｃの厚み（例えば、約１８μｍ）よりも厚く（例えば、約３５μｍ）形成するようにしてもよい。ここで、図示を省略するが、電源基板４５Ｂの裏面の導体パターンについても同様に形成する。ここで、銅等の金属粉末を含むペーストを、電源基板４５Ｂのプリント基板上に印刷した後に焼成する等して、グランドパターンの厚みを信号線パターンの厚みよりも厚く形成するようにしてもよい。
【００５０】
この場合にも、前記実施形態と同様に、その厚みに応じてグランドパターン５７ｄの容量を充分に大きくでき、グランドパターン５７ｄのインピーダンスを小さくできる為、グランドパターン５７ｄで吸収した静電誘導や電磁誘導等によるノイズの信号線パターン５７ｃへの放射又は流入を効果的に抑制することができ、ノイズ対策を強化することができる。
３〕主制御手段５０や払出し制御手段７０等のノイズ対策を必要とする副制御手段の制御基板３９，４６の表面と裏面に夫々形成されている導体パターンに本発明を適用し、グランドパターンの容量を充分に大きくして、ノイズ対策を強化するようにしてもよい。
【００５１】
４〕グランドパターン５７ｄ，５８ｂをより厚く形成するとともに、信号線パターン５８ｂ  ５７ｃに接近するエッジ部分の厚さを薄く形成するようにし、信号線パターン５８ｂ  ５７ｃへの放射を防止するようにしてもよい。
５〕導体パターン５７，５７Ａ，５８は、先ずスパッタリング法、蒸着法、無電解メッキ法等により銅又はアルミの導体層を形成し、その後にフォトリソ工程等により所定のパターンにエッチング処理により形成するようにしてもよい。
【００５２】
６〕グランドパターン５７ｄ，５８ｂの厚さは約３５μｍに限るものではなく、例えば５０μｍ、７０μｍ等、より厚く形成するようにしてもよい。
７〕本発明は、以上説明した実施形態や変更形態に限定されるものではなく、本発明の趣旨を逸脱しない範囲で種々変更を付加し、更に、パチンコ機に限らず、アレンジボール機、雀球機、回胴機等の種々の遊技機に本発明を適用することが可能である。
【００５３】
【発明の効果】
請求項１の発明によれば、独立のプリント基板に構成された複数の制御用基板と、電源基板と、複数の制御用基板及び電源基板に電子部品と、複数の制御用基板及び電源基板の表面及び裏面に導体パターンとを備え、電源基板の表面及び裏面のプリント基板の導体パターンの厚みを、その電源基板以外の制御用基板の表面及び裏面の導体パターンの厚みよりも厚く形成したので、その厚みを厚くした導体パターンに含まれるグランドパターンの厚みも厚くなり、その厚みに応じてグランドパターンの容量（キャパシティ）を充分に大きくできる。
【００５４】
それ故、グランドパターンのインピーダンスを小さくできる為、グランドパターンで吸収した静電誘導や電磁誘導等によるノイズの、導体パターンに含まれる信号線パターンへの放射又は流入を効果的に抑制することができ、ノイズ対策を強化することができる。
【００５５】
請求項２の発明によれば、電子部品を表面又は裏面に実装したプリント基板からなる電源基板を備え、その電源基板の表面と裏面に、信号線パターンと接地用のグランドパターンとを有する導体パターンを導電性材料で夫々形成し、電源基板の表面の導体パターンと裏面の導体パターンのうちのグランドパターンの面積が小さい方の一方の導体パターンの厚みを他方の導体パターンの厚みよりも厚く形成したので、その厚みに応じてグランドパターンの容量を充分に大きくでき、請求項１と同様の効果を得ることができる。
【００５７】
請求項３の発明によれば、前記導体パターンが、銅箔からなるので、銅箔等の低抵抗金属により導体パターンを構成することができる。その他請求項１又は２と同様の効果を奏する。
【図面の簡単な説明】
【図１】本発明の実施形態に係るパチンコ機（弾球遊技機）の斜視図である。
【図２】パチンコ機の遊技盤の正面図である。
【図３】パチンコ機の背面図である。
【図４】パチンコ機の側面図である。
【図５】パチンコ機の制御系の機能ブロック図である。
【図６】電源基板の表面の導体パターンを示す図である。
【図７】電源基板の裏面の導体パターンを示す図である。
【図８】図６のＨ−Ｈ線縦断面図である。
【図９】変更形態に係る図８相当図である。
【図１０】変更形態に係る電源基板の要部縦断切欠き図である。
【符号の説明】
２        パチンコ機（弾球遊技機）
３９      主制御基板
４０      図柄制御基板
４２      ランプ制御基板
４３      サウンド制御基板
４５      電源基板
４５Ａ    電源基板
４５Ｂ    電源基板
４６      払出し制御基板
５０      主制御手段
５７      導体パターン
５７ａ    信号線パターン
５７ｂ    グランドパターン
５７Ａ    導体パターン
５７Ｂ    導体パターン
５７ｃ    信号線パターン
５７ｄ    グランドパターン
５８      導体パターン
５８ａ    信号線パターン
５８ｂ    グランドパターン
５８Ａ    導体パターン
６０      図柄制御手段
７０      払出し制御手段
７１      ランプ制御手段
７２      サウンド制御手段
【図１】
0003765712.tif 000002
【図２】
0003765712.tif 000003
【図３】
0003765712.tif 000004
【図４】
0003765712.tif 000005
【図５】
0003765712.tif 000006
【図６】
0003765712.tif 000007
【図７】
0003765712.tif 000008
【図８】
0003765712.tif 000009
【図９】
0003765712.tif 000010
【図１０】
0003765712.tif 000011